(57)【特許請求の範囲】
【請求項１】
地中に埋設された可撓性の細長い長尺体と、前記長尺体の外面の上下方向に間隔をおいて複数配置される歪ゲージと、これら歪ゲージの歪測定量に基づいて変位を演算するデータ処理手段とを備え、前記長尺体が変形した場合の任意（Ｊｎ）の単区間（Ｊｎ−Ｊｎ+1）の距離をＬ、水平変位をｄｎ、接点回転角をＺｎ、前記長尺体の外周の半径をｒ、前記歪ゲージによる歪測定量をε、交角をθｎとしたとき、前記データ処理手段により前記パイプにおける任意の点ｎにおけるすべり変位Ｄｎを、
【数式Ａ】
0003802478.tif 000053
但し、
【数式Ｂ】
0003802478.tif 000054
であって、
【数式Ｃ】
0003802478.tif 000055
【数式Ｄ】
0003802478.tif 000056
【数式Ｅ】
0003802478.tif 000057
かつ
【数式Ｆ】
0003802478.tif 000058
【数式Ｇ】
0003802478.tif 000059
【数式Ｈ】
0003802478.tif 000060
【数式Ｉ】
0003802478.tif 000061
【数式Ｊ】
0003802478.tif 000062
により地すべり層変位を算出することを特徴とする地すべり層変位の定量測定法。
【請求項２】
前記長尺体はパイプであることを特徴とする請求項１記載の地すべり層変位の定量測定法。
【請求項３】
請求項２の算出を用いて前記パイプの平面におけるＸ方向のすべり変位ＤNSnと、該Ｘ方向に直交するＹ方向のすべり変位ＤEWnとを算出し、最大変位Ｄｍａｘｎを、
【数式 Ｋ】
0003802478.tif 000063
により算出することを特徴とする地すべり層変位の定量測定法。
【請求項４】
請求項２の算出を用いて前記パイプの平面におけるＸ方向のすべり変位ＤNSnと、該Ｘ方向に直交するＹ方向のすべり変位ＤEWnとを算出し、最大変位の方向αを、
【数式 Ｌ】
0003802478.tif 000064
により算出することを特徴とする地すべり層変位の定量測定法。
【請求項５】
前記パイプにロツドを介して水平移動し該パイプを回動自在に四方を接触して外嵌するホルダーとを備えたことを特徴とする請求項２〜４のいずれか１項に記載の地すべり層変位の定量測定法。
【発明の詳細な説明】
【０００１】
【発明の属する技術分野】
本発明は、地中に埋設した歪パイプ等長尺体の歪観測データから、長尺体の変形形状を再現し、すべり層の変位動態を定量的に評価する観測システムの構築のための地すべり層変位の定量測定法に関する。
【０００２】
【発明が解決しようとする課題】
地すべりの動態機構の解明にあたっては、地中土塊の挙動を明らかにする必要がある。特に、すべり層の変位を定量的、経時的に捉えることが極めて重要である。1960年代ころから地すべりの動態観測手法の研究開発が活発に進められ種々の方法が開発されている。現在は、パイプ歪計、伸縮計、孔内傾斜計などの観測手法が使われている。その中でも、パイプ歪計は約50年前に開発されて以来、観測感度が高いことや観測作業の簡便さから広く使われてきている。今日では観測の自動化や耐久性の向上がはかられ、信頼性の高い観測法の一つとなっている。
【０００３】
パイプ歪計は、観測歪量の累積からすべり面（層）の判定は可能である。しかし、変形歪量と変位量とは線形関係が成りたたないことから、パイプの変位を直接的には捉えることはできない。「地すべり調査と対策講座２、地すべり面の性格とその調査法（山口真一編、全国地すべり対策協議会)」では、すでに30年前に「観測で得られた歪量とパイプの変形や地中土塊の移動量との関係が分からなければ、土塊の移動機構について定量的論議やすべり面の深さは解析できない。」と提言しているが、いまだ解決するまでには至っていない。
【０００４】
このことに関して、これまでに幾つかの研究がなされている。たわみ曲線の微分方程式を基本式として、「地中歪計による地すべりすべり面判定の一考察（中村浩之・近藤政司・白石一夫著、地すべり Ｖｏｌ６.Ｎｏ１.ｐｐ１〜９)」では、境界条件として下端の不動点でたわみ角＝0，たわみ＝0と仮定してパイプの変位を求めている。「パイプ歪計により地すべり土塊の変形の姿を求める方法について、山口真一著（1972）：地すべり、Vol．8、No．4、PP．8−11」では、各歪ゲージ間のパイプ（単位パイプ）の歪は一様とし、境界条件として各単位パイプ間は変位及び勾配が連続していると仮定して変位を求めている。「パイプ歪計による地すべり挙動の解析法 小島義孝・餞谷武司・山田寿政・速水博秀・館中隆志著（1992）地すべり学会研究発表講演集、PP．209−212．」では、境界条件としてたわみ、たわみ角、モーメント、せん断力が単位パイプ間で連続すると仮定して解析している。上記のたわみ曲線の微分方程式による解析法は現地の力学的境界条件をどのように扱うかが大きな課題として残っている。
【０００５】
そこで、本発明は、これまで測定できなかったすべり層の変位を定量的かつ経時的に測定することが可能な地すべり層変位の定量測定法を提供することを目的とする。また、本発明は使用する硬質塩化ビニール等パイプの曲げ剛性が小さいことから、パイプの変形は土塊の変形に追従しているものとみて、パイプの変形歪から地すべり層変位の定量測定法を行ない、地中に埋設したパイプの変形歪からパイプの変形形状を再現し、すべりの変位動態を明かにすることを目標として進めている。
【０００６】
【課題を解決するための手段】
請求項１の発明は、地中に埋設された可撓性の細長いパイプと、前記パイプ外面の上下方向に間隔をおいて複数配置される歪ゲージと、これら歪ゲージの歪測定量に基づいて変位を演算するデータ処理手段とを備え、前記パイプが変形した場合の任意（Ｊｎ）の単区間（Ｊｎ−Ｊｎ+1）の距離をＬ、水平変位をｄｎ、接点回転角をＺｎ、前記パイプの外周の半径をｒ、前記歪ゲージによる歪測定量をε、交角をθｎとしたとき、前記データ処理手段により前記パイプにおける任意の点ｎにおけるすべり変位Ｄｎを、
【０００７】
【数式 Ａ】
0003802478.tif 000002
【０００８】
但し、
【０００９】
【数式 Ｂ】
0003802478.tif 000003
【００１０】
であって、
【００１１】
【数式 Ｃ】
0003802478.tif 000004
【００１２】
【数式 Ｄ】
0003802478.tif 000005
【００１３】
【数式 Ｅ】
0003802478.tif 000006
【００１４】
かつ
【００１５】
【数式 Ｆ】
0003802478.tif 000007
【００１６】
【数式 Ｇ】
0003802478.tif 000008
【００１７】
【数式 Ｈ】
0003802478.tif 000009
【００１８】
【数式 Ｉ】
0003802478.tif 000010
【００１９】
【数式 Ｊ】
0003802478.tif 000011
【００２０】
により地すべり層変位を算出することを特徴とする地すべり層変位の定量測定法である。
【００２１】
この請求項１の構成によれば、歪ゲージの歪測定量に基づいて前記数式に各部位の変位を積算して総変位量を算出する。
【００２２】
請求項２の発明は、前記長尺体はパイプであることを特徴とする請求項１記載の地すべり層変位の定量測定法であります。
【００２３】
請求項３の発明は、請求項２の算出を用いて前記パイプの平面におけるＸ方向のすべり変位ＤNSnと、該Ｘ方向に直交するＹ方向のすべり変位ＤEWnとを算出し、最大変位Ｄｍａｘｎを、
【００２４】
【数式 Ｋ】
0003802478.tif 000012
【００２５】
により算出することを特徴とする地すべり層変位の定量測定法である。
【００２６】
この請求項３の構成によれば、すべり変位ＤNSnとすべり変位ＤEWnの異なる歪ゲージの歪測定量に基づいて変位を積算して最大変位量を算出する。
【００２７】
請求項４の発明は、請求項２の算出を用いて前記パイプの平面におけるＸ方向のすべり変位ＤNSnと、該Ｘ方向に直交するＹ方向のすべり変位ＤEWnとを算出し、最大変位の方向αを、
【００２８】
【数式 Ｌ】
0003802478.tif 000013
【００２９】
により算出することを特徴とする地すべり層変位の定量測定法である。
【００３０】
この請求項４の構成によれば、簡単に地すべり層変位の方向を算出することができる。
【００３１】
請求項５の発明は、請求項２〜４のいずれか１項に記載の地すべり層変位の定量測定法において、前記パイプにロツドを介して水平移動し該パイプを回動自在に四方を接触して外嵌するホルダーとを備えたことを特徴とする。
【００３２】
この請求項４の構成によれば、ホルダーは変形時に曲げ拘束がないようにパイプを回転可能にすることができる。
【００３３】
【発明の実施形態】
以下、本発明の実施形態を添付図を参照して説明する。図１に示すように地中に埋設した細長い長尺体で曲げ剛性が小さい硬質塩化ビニールパイプ等のパイプ１を、その下端側を地中土塊不動部Ｙに固定するとともにその上方を地中土塊移動部Ｚに固定する。そして、パイプ１の下端側から該パイプ１の外周面に沿って上方へ第１の歪ゲージ２Ａから第１４の歪ゲージ２Ｎを一定の間隔Ｌをおいて固定する。これら歪ゲージ２Ａ〜２Ｎはリード線３を介して歪演算装置４に接続される。この歪演算装置４はブリッジ回路などを備えて各歪ゲージ２Ａ〜２Ｎの出力を入力として、各歪ゲージ２Ａ〜２Ｎにおける各歪量を算出するものである。さらに歪演算装置４からの出力データは、地すべり変位演算・記憶手段及び表示手段たるコンピュータ５に入力され、さらにコンピュータ５にはプリンタなどの記録手段６を接続している。そして、前記歪演算装置４、コンピュータ５によりデータ処理手段７が構成される。尚、歪演算装置４からの出力データは無線或いは有線でコンピュータ５に接続するようにしたり、或いは歪演算装置４からの出力データをいったんメモリカードなどのメモリ手段に記憶させた後、このメモリ手段をコンピュータ５に入力して地すべり変位の演算・記憶手段及び表示手段を行なってもよい。また、下端側の歪ゲージ２Ａ,２Ｂは地中土塊不動部Ｙに配置され、またその上方の歪ゲージ２Ｃ〜２Ｎは地中土塊移動部Ｚに配置される。
【００３４】
そして、使用するパイプ１の変形は地中土塊移動部Ｚの変形に追従しているものとみて、歪一変形の関係から変形解析法は以下である。すなわち、地中に埋設したパイプ１が、地すべり活動に伴って生ずる地中土塊のせん断変形に追従して変形すると仮定するものである。鉛直方向に埋設したパイプ１の任意の区間における変形状態を図２（パイプの変形模式図)に示すように、すなわち、鉛直方向に埋設したパイプ１の作意の区間における変形模式図を図２で示す。歪ゲージ２と隣接する歪ゲージ２の中間点をそれぞれＪｎ、Ｊｎ+１とする。この区間を単区間（区間距離L）とし、この中間点を以後は接点と呼ぶことにする。単区間は一定間隔で配置された歪ゲージ２Ａ〜２Ｎのそれぞれの間の長さに等しくなり、そして単区間におけるパイプ１の水平方向の変位ｄｎは接点Ｊ´ｎ+１がＪｎ+１に移動したときの水平距離である。但し、図２,３中、ｄｎ：水平変位、ｄｚｎ：回転変位、ｄｓｎ：歪変位、Θｎ：交角、Ｒｎ：パイプ１中立軸の曲率半径、Ｚｎ：接点回転角、Ｌ：パイプ１の区間距離、２Ａ〜２Ｎ：第１〜１４の歪ゲージ、ｒ：パイプ１の外半径（パイプ１の中立軸から歪ゲージ２までの距離)、ε：パイプ１の外縁部の歪である。すなわち、単区間におけるパイプ１の水平方向の変位ｄｎは接点Ｊ´ｎ+1がＪｎ+１に移動したときの水平距離である。そして、区間距離が小さい場合、次の３つの条件が成り立つものと仮定する。１．単区間内でのパイプ１の歪は−定（曲率半径が一定）、２．変形時においてパイプ１の孤長と弦長が等しい。３．接点で接続する両単区間のパイプは共通の接線で連続する。この3つの条件から変位解析を試みたものである。
【００３５】
図２,３のようにパイプ１が変形した場合、任意の単区間（Ｊｎ―Ｊｎ＋１）における水平方向の相対変位ｄｎは接点Ｊ’n＋1とＪn＋1の水平距離となる。変位ｄｎは接点の回転によって生ずる変位ｄｚｎ（以後は回転変位と呼ぶ）とパイプ１のたわみ変形によって生ずる変位ｄｓｎ（以後は歪変位と呼ぶ）に分けて考える。すなわち、変位ｄｎは上述の仮定から接点の回転によって生ずる変位ｄｚｎ（以後は回転変位と呼ぶ）とパイプ１のたわみ変形によって生ずる変位ｄｓｎ（以後は歪変位と呼ぶ）に分けて考えることができる。変位ｄｎは（1）式となる。尚、図１のパイプの変形模式図及び図２のパイプ１の曲げ変形の図において、ｄｎは任意の単区間（Ｊｎ―Ｊｎ＋１）の水平変位、ｄｚｎは鉛直軸ｙを基準として点Ｊｎから点Ｊｎ＋１にかけての回転変位、ｄｓｎは歪み変位であり、このｄｓｎとｄｚｎによりｄｎが形成される。θｎは単区間（Ｊｎ―Ｊｎ＋１）の点Ｐにおける、Ｒｎは点Ｊｎと点Ｊｎ＋１における点Ｐを中心とした曲率半径、Ｚｎは接点回転角であり、点Ｊｎにおける鉛直軸ｙと、点Ｊｎとｄｚｎの位置を結ぶ仮想線との間の角であり、Ｌはパイプ１の単区間（Ｊｎ―Ｊｎ＋１）であり、これは歪みゲージ２ｎと該歪みゲージ２ｎの一段下方にある歪みゲージ２ｎ-1の間の１／２の距離と、歪みゲージ２ｎと該歪みゲージ２ｎの一段上方にある歪みゲージ２ｎ+1の間の１／２の距離とを加えたものであり、歪みゲージ２ｎ-1、歪みゲージ２ｎ、歪みゲージ２ｎ+1を等間隔で設けた場合には、歪みゲージ２ｎ-1と歪みゲージ２ｎの距離、ひいては歪みゲージ２ｎと歪みゲージ２ｎ+1の距離となる。また、図３においてεはパイプ１の外縁部の歪み、θは点ａと点ｂの間の交角、Ｒはパイプ１の中立軸の曲率半径、ｒはパイプ１の外半径、Ｌは前述の区間距離である。
【００３６】
さらに詳述すると、水平変位ｄｎは、鉛直軸ｙと点Ｊｎ＋１との距離、回転変位ｄｚｎは、水平変位ｄｎのうちパイプ１の回転に伴う変位分、歪み変位ｄｓｎは、パイプ１の歪みに伴う変位分、交角θｎは点Ｊｎと点Ｊｎ＋１を結ぶほぼ円弧状の単区間における一対の曲率半径Ｒｎにおける交角、接点回転角Ｚｎは、点Ｊｎにおける接線（大きさはｄｚｎ表されている）と鉛直軸ｙとの角である。交角θを形成する区間距離Ｌ，Ｌ´は円弧長さであり、点ａ、ｂはパイプ１の中立軸上に位置する。ｒはパイプ１の外半径で、パイプ１の中立軸とパイプ１の外周を結ぶ長さである。
【００３７】
【数式１】
0003802478.tif 000014
【００３８】
ここで、回転変位ｄｚｎと歪変位ｄｓｎは（2）式、（3）式になる。
【００３９】
【数式２】
0003802478.tif 000015
【００４０】
【数式３】
0003802478.tif 000016
【００４１】
よって、（1）式は（2）式、（3）式から（4）式に整理する。
【００４２】
【数式４】
0003802478.tif 000017
【００４３】
また、接点回転角Zｎは（５）式である。
【００４４】
【数式５】
0003802478.tif 000018
【００４５】
次に、パイプ１の外縁に生ずる変形歪εと交角θとの関係を求める。図３に示すように直線パイプ１の単区間ａ−ｂが曲げ変形したとき、パイプ１の単区間距離Ｌとパイプ１の外縁部の区間距離Ｌ´は、Ｌ＝Ｒθ、Ｌ´＝（Ｒ＋ｒ）θである。よって、伸びΔＬは、ΔＬ＝Ｌ´ーＬ＝ｒθとなる。
【００４６】
また、歪εは、ε＝ΔＬ／Ｌ＝ｒθ／Ｌとなる。よって、交角θと歪εの関係は（６）式となる。
【００４７】
【数式６】
0003802478.tif 000019
【００４８】
単区間の変位ｄｎは（4）式と（6）式から（7）式に整理できる。
【００４９】
【数式７】
0003802478.tif 000020
【００５０】
尚、（7）式における接点回転角Ｚｎは（8）式である。
【００５１】
【数式８】
0003802478.tif 000021
【００５２】
よって、単区間の変位ｄｎは、（7）式の単区間距離L及びパイプ外半径rは既定値であることから、歪の観測値から解析できる。以上が変位解析の基本式となる。
【００５３】
次に、パイプ１の変形区間の分割を示した図４に示すように隣り合う単区間の接点での変形の緩和を考慮する。すなわち、隣り合う単区間の接点での変形の緩和を考慮し、接点の近傍の変形は隣り合う両区間の歪に関係するものとし（7）式を整理する。図４に示すように単区間を３つの区間に分けて解析する。尚、εｎはゲージ２の歪（但し、単位なし）である。接点の近傍の変形は、隣り合う両区間の変形歪に影響されるものとし（7）式を整理する。この際単区間を、複数ｎ、例えば３つの変形区間に分けて変形緩和の解析をする（ｎ＝３）。接点Ｊｎから接点a及び接点bから接点Ｊｎ＋１の緩和区間（区間距離Ｌ／４）の歪は、隣り合う区間の歪の平均値に近似させ、区間の中央部Ｌ／２の区間はこの単区間の歪として計算する。すなわち、接点Ｊｎから接点ａ及び接点ｂから接点Ｊｎ+１の区間を緩和区間（区間距離Ｌ／4）とし、この区間の変形歪は隣り合う区間の測定歪の平均値に近似させる。区間の中央部Ｌ／2の区間（ａ−ｂ）の変形歪はこの単区間の測定歪に近似させて解析する。
【００５４】
区間（Ｊｎ−a）の交角をΘｎ１、区間（a−ｂ)の交角をΘｎ２、区間（ｂ-Ｊｎ＋１）の交角をΘｎ３とすれば、（4）式から、図４の水平変位ｄｎ１、ｄｎ２、ｄｎ３は（9）式、（10）式、（11）式となる。すなわち、前記歪ゲージ２と隣接する前記歪ゲージ２の中間点と次に連なる中間点Ｊｎ、Ｊｎ+１の間を上下方向に３箇所（但しｎは３よりも大きい整数であればよい）に分割するとともに、分割された中間部位（ａーｂ）の上下方向長さに対して、該中間部位（ａーｂ）の上下方向にある上、下部位の上下方向長さ（Ｊｎーａ,ｂ−Ｊｎ+１）をそれぞれ１／２としている。
【００５５】
【数式９】
0003802478.tif 000022
【００５６】
【数式１０】
0003802478.tif 000023
【００５７】
【数式１１】
0003802478.tif 000024
【００５８】
ここで、交角Θｎ1、Θｎ2、Θｎ3は（12）式、（13）式、（14）式である。
【００５９】
【数式１２】
0003802478.tif 000025
【００６０】
【数式１３】
0003802478.tif 000026
【００６１】
【数式１４】
0003802478.tif 000027
【００６２】
接点a及びbの接点回転角Zｎａ、Zｎｂは（15）式、（16）式である。
【００６３】
【数式１５】
0003802478.tif 000028
【００６４】
【数式１６】
0003802478.tif 000029
【００６５】
よって、単区間の変位dｎは（17）式から求まる。
【００６６】
【数式１７】
0003802478.tif 000030
【００６７】
任意の接点nにおける変位Ｄｎは下位からの単区間変位の累積であり（18）式となる。
【００６８】
【数式１８】
0003802478.tif 000031
【００６９】
ここで求める変位は歪ゲージ２の方向となる平面上Ｘ方向たるＮＳ（北南)方向と、該Ｘ方向（ＮＳ（北南)方向）に直交するＹ方向たるＥＷ（東西)方向と同方向の変位である。
【００７０】
次に、それぞれの位置の歪ゲージを、ＮＳ（北南)方向とＥＷ（東西）方向の2方向に設けることによって、最大変位とその変位方向が求められる。すなわち、図５に示すようにの所定深さにおいて北南方向の歪を測定する歪ゲージ12Ａ,12´Ａをそれぞれ北、南方向にパイプ１に設け、東西方向の歪を測定する歪ゲージ12Ｂ,12´Ｂを東、西方向にパイプ１に設け、それらの最大変位とその変位方向が求められる。すなわち、前記歪ゲージ12Ａ,12Ｂはパイプ１の中立軸を中心として直交の向きに設けられている。
【００７１】
（18)式によって、ＮＳ方向の歪デ一夕から求めたＮＳ方向の変位をＤNSｎ、ＥＷ方向の変位をＤEWｎとすれとすれば、最大変位Ｄｍａｘｎは、ピタゴラスの定理により（19）式で求まる。ＮＳ歪ゲージ方向に対する最大変位の方向（以後は変位方向と呼ぶ）角α。は（20）式となる。
【００７２】
【数式１９】
0003802478.tif 000032
【００７３】
【数式２０】
0003802478.tif 000033
【００７４】
また、任意の接点nにおける単区間のすべり変位Ｄｕｎ（以後はすべり層変位と呼ぶ）は（21）式から求まる。
【００７５】
【数式２１】
0003802478.tif 000034
【００７６】
以上の変位解析法は、パイプ１の変形歪データから地すべり活動によって生じたパイプ１の変形形状を再現し、すべり層の変位動態を定量的に捉えることが可能となる。
【００７７】
本変位解析法の整合性についてモデル実験で検証を行なった解析法の整合性の検証実験から以下のことが確認された。
【００７８】
１．パイプ変形形状の再現性
変位解析法の変形形状の再現性は、変位の平均相対誤差が約５％以下、変位方向の解析誤差が３度以内でパイプ１の変形を高精度に求めている。また、直交したＮＳ方向、ＥＷ方向の2方向の変形歪から最大変位とその変位方向を求めることが可能となる。
【００７９】
２．すべり層変位の評価
すべり層変位の平均相対誤差は約７％以下であり、高い精度で算定できる。
【００８０】
本変位解析法により、これまで測定できなかったすべり層の変位を定量的かつ経時的に測定することが可能になった。さらに、多様な地中土塊の動態を明らかにする新しい地すべり観測システムの構築が可能となる。
【００８１】
以上のように、前記実施例では地中に埋設された可撓性のパイプ１と、前記パイプ１にそれぞれ複数配置される歪ゲージ２と、これら歪ゲージ２の歪測定量に基づいて変位を演算するデータ処理手段たるコンピュータ５等とを備え、前記歪ゲージ２間を複数に分割した各部位の変位ｄを積算して総変位量Ｄｎをコンピュータ５等により算出することにより、歪ゲージ２の歪測定量に基づいて前記分割した各部位の変位を積算して総変位量Ｄｎを正確に算出することができる。
【００８２】
さらに、歪ゲージ２と隣接する前記歪ゲージ２の中間点Ｊｎと次に連なる中間点Ｊｎ+１の間を上下方向に３箇所に分割するとともに、各部位の変位ｄを積算して総変位量Ｄｎを前記コンピュータ５等により算出することにより、歪ゲージ２の歪測定量に基づいて前記分割した各部位の変位を積算して総変位量Ｄｎを正確に算出することができる。
【００８３】
また、隣接する前記中間点（ＪｎーＪｎ+１）間を上下方向に３箇所に分割し、分割された中間部位（ａーｂ）の上下方向長さに対して、該中間部位（ａーｂ）の上下方向にある上、下部位（ｂーＪｎ+１, Ｊｎーａ）の上下方向長さをそれぞれ１／２としたことにより、上部位（ｂーＪｎ+１）とこれに連なる下部位（Ｊｎ+１ーａ´）の上下方向長さを、中間部位（ａーｂ）の長さと同様に設定して算出することができる。
【００８４】
しかも、前記中間点Ｊｎ+１の緩和区間（区間距離Ｌ／４）の歪は、隣り合う中間部位（ａーｂ,ａ´ーｂ´）の歪の平均値に近似させたことにより、緩和区間の変位（ｄｎ３）も正確に算出することができる。
【００８５】
また、前記歪ゲージ12Ａ,12Ｂ等は、前記パイプ１の中立軸を中心として異なる向きに設けられ、これら向きの異なる歪ゲージ12Ａ,12Ｂ等の変位をそれぞれ積算しこの積算変位量に基づいて最大変位量Ｄｍａｘｎを前記コンピュータ５等により算出することにより、向きの異なる歪ゲージ12Ａ,12Ｂ等の歪測定量に基づいて変位を積算して最大変位量Ｄｍａｘｎを正確に算出する。
【００８６】
さらに、前記歪ゲージ12Ａ,12等Ｂは、前記パイプ１の中立軸を中心として異なる向きに設けられ、これら向きの異なる歪ゲージ12Ａ,12Ｂ等の変位をそれぞれ積算しこの積算変位量に基づいて最大変位の方向を前記コンピュータ５により算出することにより、変位の方向を積算して最大変位Ｄｎの方向を算出する。
【００８７】
しかも、前記異なる向きに設けられる前記歪ゲージ12Ａ,12Ｂ等は直交方向に配置されることにより、簡単に算出を行ない地すべり層変位を算出することができる。
【００８８】
次に検証実験について説明する。
【００８９】
検証実験
予備実験でパイプにおける歪ゲージ間隔25ｃｍ、50ｃｍ、100ｃｍの実験を行い、その適合性の検討を行った。ゲージ間隔100ｃｍは大変形のとき変位誤差が大きくなった。ゲージ間隔25ｃｍと50ｃｍでは精度の良い結果が得られている。本実験ではゲージ間隔を精度及び実用面から考慮し50ｃｍとした。尚、パイプの曲げ剛性と地盤反力係数との関係から硬質塩化ピニールパイプ場合はゲージ間隔を約70ｃｍ以下とすることが好ましいことが周知であり、ことからもゲージ間隔50ｃｍは妥当である。
【００９０】
実験装置
実験装置は、地すべりの主要な動態形態である不動層、すべり層、移動層をモデル化し作製した。なお、ここでのすべり層は地すべりのせん断変形ゾーンを想定している。実験装置を図６に示している。使用パイプ１は硬質塩化ビニール製で、形状寸法は外半径48．Oｍｍ、内半径40．8ｍｍ、長さ8ｍである。このパイプ１に歪ゲージ２を50ｃｍ間隔に直交するＮＳ方向とＥＷ方向に接着した。使用した歪ゲージ２のゲージ率は2．18である。
【００９１】
このパイプ１を、該パイプ１を回動自在に四方を接触して外嵌するパイプホルダー13にセットする。パイプホルダー13は変形時に曲げ拘束がないようにパイプ１を回転可能にしている。そして、パイプホルダー13はロツド14を介し水平移動するもので、その両端はロッドガイド15に遊挿して、ほぼ一定方向にロツド14が地盤と共に移動できるようになっている。
【００９２】
パイプ１下部の1．57ｍの区間を不動層としてパイプホルダ−13のNo1、No2、No3を固定した。ホルダーNo4から上部の移動層のホルダーを動かすことによって後述のすべり変形をつくり、パイプ1に生ずる変形歪を測定した。
【００９３】
実験方法
実験は、本変位解析法の適合性を確認することを目的としていることから、以下の変形形状と変位方向の組み合わせで行った。
（1）変位方向
変位方向は図７に示す以下の３種類である。
１．突験Ｒ0:変位方向とＮＳ歪ゲージ軸方向が同じ  ２．突験Ｒ20:変位方向に対してＮＳ歪ゲージ軸を２０°回転  ３．突験Ｒ40:変位方向に対してＮＳ歪ゲージ軸を４０°回転（2）変形形状パイプの変形形状は不動層、すべり層、移動層を想定した図８と同９に示す実験Ａと実験Ｂの２種類とした。尚、実験Ｂのすべり層の変形形状は、現地地すべりでは見られない挙動であるが本変位解析法の適合性を碓認するために試みた。
【００９４】
実験Ａ：ホルダー13のNo3〜No4の1ｍの区間をすべり層と仮定し、その上部のホルダー13のNo4〜No9の5ｍ区間（移動層）を平行移動する。尚、移動距離（変位量）dは10ｃｍ〜60ｃｍの範囲で10ｃｍ毎移動し観測を行った。
【００９５】
実験Ｂ：ホルダー13のNo4を55ｃｍで固定（ｄ´＝55ｃｍ）し、その上部のホルダー13のNo5〜No9の区間を逆方向に5ｃｍ毎平行移動する。
【００９６】
実験の種類実験の種類は、変位方向、変形形状、変位量の組み合わせで表１に示すとおりである。
【００９７】
【表１】
0003802478.tif 000035
【００９８】
観測については、歪測定は自動歪測定器で、パイプ３の変位量はスケールで手動測定をした。変位解析は、前述の変位解析式をプログラム化し観測データを入力し解析を実行した。
【００９９】
変位解析の結果と考察変位解析図各実験における、測定歪及び変位・すべり層変位の解析値と実測値の結果の一部を図10〜図12で示した変位解析図に示す。変位図はパイプの変形形状を示している。すべり層変位は単間隔（50ｃｍ）のすべり変位（せん断変位）を示している。この変位解析図からも解析値と実測値とが良く整合していることが分かる。
【０１００】
また、本変位解析図からすべり動態を容易に把握することができる。
【０１０１】
変位解析結果の評価変位解析結果の整合性の評価は変位の実測値との比較で検討する。パイプ１の変形の再現性評価は変位の平均相対誤差を求め検討を行った。変位の平均相対誤差は、次式に示すように各測点の実測変位と解析変位の誤差累計の実測変位累計に対する百分率で示す。
【０１０２】
【数式２２】
0003802478.tif 000036
【０１０３】
すべり変位の相対誤差は、次式に示すように解析すべり変位誤差の実測すべり変位に対する百分率である。尚、ここでのすべり変位は図８のすべり層区間の変位である。
【０１０４】
【数式２３】
0003802478.tif 000037
【０１０５】
変位方向角については実測値との誤差から検討を行った。
【０１０６】
実験は最大歪5000μ〜30000μの範囲で行った。最大歪はすべり層の上下面に近接している歪ゲージ２のNo2及びNo5に生じている。
【０１０７】
実験RO
本実験は変拉方向とＮＳ歪ゲージ方向が同一の変位方向角0°の実験である。変位、すべり変位、変位方向角の解析値と実測値との誤差を表２に示す。
【０１０８】
【表２】
0003802478.tif 000038
【０１０９】
変位の平均相対誤差は、変形歪22000μまでは5％、27000μ歪で7％内であり、この歪範囲では高い精度でパイプ１の変形を再現している。歪が27000μより大きくなると歪の増加と共に誤差もやや大きくなる傾向がみられる。すべり変位の相対誤差は25000μ歪までは10％以内の高い整合性を示している。25000μ歪以上になると歪の増大と共に誤差も大きくなっている。変位方向角の誤差は全ての実験で3°以内に納まっている。
【０１１０】
実験R20
変位方何角が20°の実験の解析値と実験値との誤差を表３に示す。尚、実験R20及び実験R40ではパイプ１の移動方向と歪ゲージ２方向が同一でないため、測定歪はパイプの最大歪を示していない。よって、ここでは実験ROの測定歪を最大歪の近似値として検討する。
【０１１１】
【表３】
0003802478.tif 000039
【０１１２】
変位の平均相対誤差は、全ての実験において（最大変形歪25000μ）6％以内であり、パイプ１の変形を高い精度で再現している。すべり変位の相対誤差は19000μ歪以下では13％以内である。19000μ歪以上になるとやや誤差も大きくなっている。変位方向角の誤差は2°以内で高い精度で算定している。
実験R40変位方向角が40°の実験の解析値と実測値との誤差を表４に示す。
【０１１３】
【表４】
0003802478.tif 000040
【０１１４】
変位の平均相対誤差は23000μ歪までは5％以内となっており、パイプの変形を良く再現している。すべり層変位の相対誤差は、変形歪19000μまでは12％以内であり、実測すべり変位と良く整合している。変位方向角の誤差は3°以内で高い精度を示している。
【０１１５】
まとめ
（1）パイプの変形形状の再現性本変位解析のパイプ１の変形形状の再現性は、変位方向と歪ゲージ方向角が20°以内（実験RO、実験R20）の場合で変形歪25000μ以下では変位の平均相対誤差7％以内の高い精度で変位が求められた。
（2）最大変位と変位方向
本変位解析は、直交したＮＳ方向、ＥＷ方向の2方向の歪観測を行うことによって最大変位とその変位方を求めることが可能となった。最大変位方向角（すべり変位方向角）の解析結果は全ての実験で3°以内の方向角誤差に納まっている。
（3）すべり層変位
地すべりの動態解析にあたっては、すべり層のせん断変位（すべり層変位）を定量的かつ経時的に捉えることが重要である。本変位解析法はパイプの変形形状を再現できることから、すべり層変位を求めることが可能となる。本実験で検証したすべり層変位の解析精度は、変位方向と歪ゲージ方向が同一の場合（実験RO）で変形歪25000μ以下ではすべり層変位の相対誤差が10％以内に納まっている。歪ゲージ方向と変位方向とが異なっている場合（実験R20、実験R40)で変形ひずみ19000μ以下ではすべり層変位の相対誤差が13％以内の精度で算定でさた。
（4）歪ゲージの間隔
歪ゲージ２間隔は50ｃｍ間隔でパイプの変形形状を的確に再現できることが確認でさた。
（5）パイプの変形歪限界
現地観測への適応にあたってはパイプ１の変形限界を明らかにすることが重要である。変形歪約25000μまではパイプ断面形状に大きな変状が生じないことを碓認した。変形歪の解析限界値は、解析結果の信頼性等を考慮すれば、１．変位方向と歪ゲージ方向角が20°以内の場合では25000μ歪、２．変位方向と歪ゲージ方何が40°の場合で19000μ歪程度が目安となる。
【０１１６】
以上の結果より、本変位解析法によってパイプ１の変形歪デー夕からパイプ１の変形形状を精度良く再現できることが確認できた。これにより、すべり層変位及びすべり変位方向角を定量的に求めることが可能となった。
【０１１７】
本変位解析法による観測システムの構築は、すべり層変位（せん断変位）の定量的・経時的観測を可能にし、地中のすべり動態をより詳細に明らかにできる。
【０１１８】
尚、本発明は上記実施例に限定されるものではなく、本発明の要旨の範囲内において、種々の変形実施が可能である。
【０１１９】
【発明の効果】
請求項１の発明は、地中に埋設された可撓性の細長いパイプと、前記パイプ外面の上下方向に間隔をおいて複数配置される歪ゲージと、これら歪ゲージの歪測定量に基づいて変位を演算するデータ処理手段とを備え、前記パイプが変形した場合の任意（Ｊｎ）の単区間（Ｊｎ−Ｊｎ+1）の距離をＬ、水平変位をｄｎ、接点回転角をＺｎ、前記パイプの外周の半径をｒ、前記歪ゲージによる歪測定量をε、交角をθｎとしたとき、前記データ処理手段により前記パイプにおける任意の点ｎにおけるすべり変位Ｄｎを、
【０１２０】
【数式 Ａ】
0003802478.tif 000041
【０１２１】
但し、
【０１２２】
【数式 Ｂ】
0003802478.tif 000042
【０１２３】
であって、
【０１２４】
【数式 Ｃ】
0003802478.tif 000043
【０１２５】
【数式 Ｄ】
0003802478.tif 000044
【０１２６】
【数式 Ｅ】
0003802478.tif 000045
【０１２７】
かつ
【０１２８】
【数式 Ｆ】
0003802478.tif 000046
【０１２９】
【数式 Ｇ】
0003802478.tif 000047
【０１３０】
【数式 Ｈ】
0003802478.tif 000048
【０１３１】
【数式 Ｉ】
0003802478.tif 000049
【０１３２】
【数式 Ｊ】
0003802478.tif 000050
【０１３３】
により地すべり層変位を算出することを特徴とする地すべり層変位の定量測定法であり、歪ゲージの歪測定量に基づいて前記変位を積算して変位量を算出して地すべり層を定量的かつ経時的に測定することができる。
【０１３４】
請求項２の発明においては、前記長尺体はパイプであることを特徴とする請求項１記載の地すべり層変位の定量測定法である。
【０１３５】
請求項３の発明は、請求項２の算出を用いて前記パイプの平面におけるＸ方向のすべり変位ＤNSnと、該Ｘ方向に直交するＹ方向のすべり変位ＤEWnとを算出し、最大変位Ｄｍａｘｎを、
【０１３６】
【数式 Ｋ】
0003802478.tif 000051
【０１３７】
により算出することを特徴とする地すべり層変位の定量測定法であり、簡単に地すべり層の最大変位を算出することができる。
【０１３８】
請求項４の発明は、請求項２の算出を用いて前記パイプの平面におけるＸ方向のすべり変位ＤNSnと、該Ｘ方向に直交するＹ方向のすべり変位ＤEWnとを算出し、最大変位の方向αを、
【０１３９】
【数式 Ｌ】
0003802478.tif 000052
【０１４０】
により算出することを特徴とする地すべり層変位の定量測定法であり、簡単に地すべり層の最大変位の方向を算出することができる。
【０１４１】
請求項５の発明は、請求項２〜４のいずれか１項に記載の地すべり層変位の定量測定法において、前記パイプにロツドを介して水平移動し該パイプを回動自在に四方を接触して外嵌するホルダーとを備えたものであり、パイプを外嵌するホルダーにおいては変形時に曲げ拘束がないようにパイプを回転可能とすることができる。
【図面の簡単な説明】
【図１】本発明の一実施例を示す一部を拡大して斜面図とした全体の正面図である。
【図２】本発明の一実施例を示すパイプの変形模式図である。
【図３】本発明の一実施例を示すパイプ曲げ変形の説明図であり、図３（Ａ)は直線状の場合の説明図、図３（Ｂ)は曲線状の場合の説明図である。
【図４】本発明の一実施例を示すパイプの変形区間の説明図である。
【図５】本発明の一実施例を示す歪ゲージの取り付け状態を示す断面図である。
【図６】本発明の一実施例の実験装置の概要説明図である。
【図７】本発明の一実施例の実験の変位方向の説明図である。
【図８】本発明の一実施例の実験の変形概要説明図である。
【図９】本発明の一実施例の実験の他の変形概要説明図である。
【図１０】本発明の一実施例の実験の変位解析図である。
【図１１】本発明の一実施例の他の実験の変位解析図である。
【図１２】本発明の一実施例のさらに他の実験の変位解析図である。
【符号の説明】
１ パイプ（長尺体)
２ 歪ゲージ
５ コンピュータ(データ処理手段)
13 ホルダー
14 ロツド
ｄｎ 変位量
Ｊｎ Ｊｎ+１ 接点（中間点）
【図１】
0003802478.tif 000065
【図２】
0003802478.tif 000066
【図３】
0003802478.tif 000067
【図４】
0003802478.tif 000068
【図５】
0003802478.tif 000069
【図６】
0003802478.tif 000070
【図７】
0003802478.tif 000071
【図８】
0003802478.tif 000072
【図９】
0003802478.tif 000073
【図１０】
0003802478.tif 000074
【図１１】
0003802478.tif 000075
【図１２】
0003802478.tif 000076